【手続補正書】
【提出日】平成17年4月22日(2005.4.22)
【手続補正１】
【補正対象書類名】明細書
【補正対象項目名】特許請求の範囲
【補正方法】変更
【補正の内容】
【特許請求の範囲】
【請求項１】
情報再生装置によって再生される情報を情報記録媒体に記録するための情報記録装置であって、
実体情報としての記録情報から圧縮多重信号を生成する手段と、
第１再生禁止情報を含む付加情報信号を生成する手段と、
前記圧縮多重信号と前記付加情報信号とから記録信号を生成する手段と、
前記記録信号を前記情報記録媒体に記録する手段と、
を備え、
前記実体情報は、少なくとも１つの第１データグループを夫々に含んで構成されている第２データグループを複数含んで構成され、
前記第１再生禁止情報は、前記第２データグループの各々に対応付けられ、対応する当該第２データグループを対象とした前記情報再生装置による特殊再生の禁止又は許可を示すと共に、
当該第１再生禁止情報は、複数の前記第２データグループを組合せた論理的区分に対応して前記組合わされた複数の第２データグループの再生手順を規定するプログラムチェーン情報内に含まれる管理情報内に含まれ、
当該管理情報は、前記組合わされた複数の第２データグループの各々に対応すると共に前記第１再生禁止情報を含む第２データグループ再生情報のテーブルにより構成されていることを特徴とする情報記録装置。
【請求項２】
前記第１データグループの各々は制御情報を含み、当該制御情報は、当該制御情報が含まれる前記第１データグループが含まれる前記第２データグループを対象とした前記特殊再生の禁止又は許可を示す第２再生禁止情報を含むことを特徴とする請求項１に記載の情報記録装置。
【請求項３】
前記第２データグループ再生情報は、対応する前記第２データグループの先頭位置及び大きさを夫々示す情報を含むことを特徴とする請求項１又は２に記載の情報記録装置。
【請求項４】
前記実体情報は、主映像情報、副映像情報及び音声情報から構成されていることを特徴とする請求項１乃至３のいずれか一に記載の情報記録装置。
【請求項５】
前記第１再生禁止情報は１ビットフラグであることを特徴とする請求項１乃至４のいずれか一に記載の情報記録装置。
【請求項６】
前記第２再生禁止情報は１ビットフラグであることを特徴とする請求項２に記載の情報記録装置。
【請求項７】
前記特殊再生は、スキャン再生及びサーチ再生であることを特徴とする請求項１乃至６のいずれか一に記載の情報記録装置。
【請求項８】
前記情報記録媒体はマスタディスクであることを特徴とする請求項１乃至７のいずれか一に記載の情報記録装置。
【請求項９】
前記マスタディスクを用いてレプリカディスクを製造する手段をさらに備えることを特徴とする請求項８記載の情報記録装置。
【請求項１０】
請求項９に記載の情報記録装置により製造されたレプリカディスク。
【請求項１１】
少なくとも１つの第１データグループを夫々に含んで構成されている第２データグループを複数含んで構成された実体情報と、
複数の前記第２データグループを組合せた論理的区分に対応して前記組合わされた複数の第２データグループの再生手順を規定するプログラムチェーン情報と、
複数の前記第２データグループの各々に対応付けられ、対応する当該第２データグループの情報再生装置による特殊再生の禁止又は許可を示す第１再生禁止情報と、
前記プログラムチェーン情報中に含まれ、前記組合わされた複数の第２データグループの各々に対応すると共に、前記第１再生禁止情報を含む第２データグループ再生情報のテーブルにより構成されている管理情報と、
が記録された情報記録媒体から情報を再生するための情報再生装置であって、
前記情報記録媒体から、前記実体情報、前記プログラムチェーン情報、前記第１再生禁止情報及び前記管理情報を読み取る手段と、
前記読み取ったプログラムチェーン情報に従って前記読み取った実体情報を再生する再生手段と、
特殊再生を指定するための指定手段と、
前記第１再生禁止情報が、対応する前記第２データグループを対象とした前記特殊再生の禁止を示している場合には、当該特殊再生の実行を禁止する制御手段と、
を備えたことを特徴とする情報再生装置。
【請求項１２】
前記制御手段は、前記指定手段により前記特殊再生が指定されたことを１ビットの情報として記憶するレジスタを備えており、
該レジスタが前記特殊再生を示している際に、前記第２データグループを対象とした前記特殊再生を禁止することを特徴とする請求項１１に記載の情報再生装置。
【請求項１３】
前記読取手段は、前記実体情報に先だって前記管理情報を前記情報記録媒体から読み取り、
前記先立って読み取られた管理情報を保持する記憶手段を更に備えていることを特徴とする請求項１１又は１２に記載の情報再生装置。
【請求項１４】
前記特殊再生は、再生を開始すべき位置が指定されるサーチ再生を含み、
前記制御手段は、前記サーチ再生の際に前記位置が含まれる前記第２データグループを対象とした前記特殊再生の実行が前記第１再生禁止情報により禁止されている場合には、当該サーチ再生の実行を禁止することを特徴とする請求項１１乃至１３のいずれか一に記載の情報再生装置。
【請求項１５】
前記特殊再生は、前方早送り又は後方早送りにより再生を開始すべき位置が指定されるスキャン再生を含み、
前記制御手段は、前記スキャン再生の際に前記指定された位置が含まれる前記第２データグループを対象とした前記特殊再生が前記第１再生禁止情報により禁止されている場合には、前記指定された位置に至るまでの移動方向と同一の方向に前記第１再生禁止情報により前記特殊再生の実行が禁止されていない前記第２データグループに至るまで前記読取手段を移動させた後に前記情報の再生を開始することを特徴とする請求項１１乃至１４のいずれか一に記載の情報再生装置。
【請求項１６】
前記第１データグループの各々は制御情報を含み、
前記制御情報は、前記制御情報が含まれる前記第１データグループが含まれる前記第２データグループの前記情報再生装置による前記特殊再生の禁止を示す第２再生禁止情報を含み、
前記制御手段は、一つの前記第１データグループが記録されている位置に前記読取手段が移動した際に、該一つの第１データグループに含まれる前記実体情報を再生する前に該一つの第１データグループに含まれる前記制御情報を再生すると共に該再生された制御情報に含まれる前記第２再生禁止情報により前記特殊再生が禁止されている場合には当該一つの第１データグループを含む前記第２データグループを対象とする前記特殊再生の実行を禁止することを特徴とする請求項１１乃至１５のいずれか一に記載の情報再生装置。
【請求項１７】
前記第２データグループ再生情報は、対応する前記第２データグループの先頭位置及び大きさを夫々示す情報を含むことを特徴とする請求項１１乃至１６のいずれか一に記載の情報再生装置。
【請求項１８】
情報再生装置によって再生される情報を生成するための情報処理装置であって、
実体情報としての記録情報から圧縮多重信号を生成する手段と、
第１再生禁止情報を含む付加情報信号を生成する手段と、
前記圧縮多重信号と前記付加情報信号とから情報付加圧縮多重信号を生成する手段と、
を備え、
前記実体情報は、少なくとも１つの第１データグループを夫々に含んで構成されている第２データグループを複数含んで構成され、
前記第１再生禁止情報は、前記第２データグループの各々に対応付けられ、対応する当該第２データグループを対象とした前記情報再生装置による特殊再生の禁止又は許可を示すと共に、
当該第１再生禁止情報は、複数の前記第２データグループを組合せた論理的区分に対応して前記組合わされた複数の第２データグループの再生手順を規定するプログラムチェーン情報内に含まれる管理情報内に含まれ、
当該管理情報は、前記組合わされた複数の第２データグループの各々に対応すると共に前記第１再生禁止情報を含む第２データグループ再生情報のテーブルにより構成されていることを特徴とする情報処理装置。
【請求項１９】
前記第１データグループの各々は制御情報を含み、当該制御情報は、当該制御情報が含まれる前記第１データグループが含まれる前記第２データグループを対象とした前記特殊再生の禁止又は許可を示す第２再生禁止情報を含むことを特徴とする請求項１８に記載の情報処理装置。
【請求項２０】
前記第２データグループ再生情報は、対応する前記第２データグループの先頭位置及び大きさを夫々示す情報を含むことを特徴とする請求項１８又は１９に記載の情報処理装置。
【請求項２１】
前記実体情報は、主映像情報、副映像情報及び音声情報から構成されていることを特徴とする請求項１８乃至２０のいずれか一に記載の情報処理装置。
【請求項２２】
前記第１再生禁止情報は１ビットフラグであることを特徴とする請求項１８乃至２１のいずれか一に記載の情報処理装置。
【請求項２３】
前記第２再生禁止情報は１ビットフラグであることを特徴とする請求項１９に記載の情報処理装置。
【請求項２４】
少なくとも１つの第１データグループを夫々に含んで構成されている第２データグループを複数含んで構成された実体情報が記録された領域と、
複数の前記第２データグループを組合せた論理的区分に対応して前記組合わされた複数の第２データグループの再生手順を規定するプログラムチェーン情報、前記複数の第２データグループの各々に対応付けられ、対応する前記第２データグループの情報再生装置による特殊再生の禁止又は許可を示す第１再生禁止情報、及び、前記プログラムチェーン情報中に含まれると共に、前記組合わされた複数の第２データグループの各々に対応し、前記第１再生禁止情報を含む第２データグループ再生情報のテーブルにより構成される管理情報が記録された領域と、
を備え、
前記管理情報が記録された領域は、前記実体情報が記録された領域の前方に形成されていることを特徴とする情報記録媒体。
【請求項２５】
前記第１データグループの各々は制御情報を含み、当該制御情報は、当該制御情報が含まれる前記第１データグループが含まれる前記第２データグループを対象とした前記特殊再生の禁止又は許可を示す第２再生禁止情報を含むことを特徴とする請求項２４に記載の情報記録媒体。
【請求項２６】
前記第２データグループ再生情報は、対応する前記第２データグループの先頭位置及び大きさを夫々示す情報を含むことを特徴とする請求項２４又は２５に記載の情報記録媒体。
【請求項２７】
前記実体情報は、主映像情報、副映像情報及び音声情報から構成されていることを特徴とする請求項２４乃至２６のいずれか一に記載の情報記録媒体。
【請求項２８】
前記第１再生禁止情報は１ビットフラグであることを特徴とする請求項２４乃至２７のいずれか一に記載の情報記録媒体。
【請求項２９】
前記第２再生禁止情報は１ビットフラグであることを特徴とする請求項２５に記載の情報記録媒体。
【請求項３０】
情報記録媒体に情報を記録するための情報記録方法であって、
実体情報としての記録情報から圧縮多重信号を生成する工程と、
第１再生禁止情報を含む付加情報信号を生成する工程と、
前記圧縮多重信号と前記付加情報信号とから記録信号を生成する工程と、
前記記録信号を前記情報記録媒体に記録する工程と、
を備え、
前記実体情報は、少なくとも１つの第１データグループを夫々に含んで構成されている第２データグループを複数含んで構成され、
前記第１再生禁止情報は、前記第２データグループの各々に対応付けられ、対応する当該第２データグループを対象とした特殊再生の禁止又は許可を示すと共に、
当該第１再生禁止情報は、複数の前記第２データグループを組合せた論理的区分に対応して前記組合わされた複数の第２データグループの再生手順を規定するプログラムチェーン情報内に含まれる管理情報内に含まれ、
当該管理情報は、前記組合わされた複数の第２データグループの各々に対応すると共に前記第１再生禁止情報を含む第２データグループ再生情報のテーブルにより構成されていることを特徴とする情報記録方法。
【請求項３１】
前記第１データグループの各々は制御情報を含み、当該制御情報は、当該制御情報が含まれる前記第１データグループが含まれる前記第２データグループを対象とした前記特殊再生の禁止又は許可を示す第２再生禁止情報を含むことを特徴とする請求項３０に記載の情報記録方法。
【請求項３２】
前記第２データグループ再生情報は、対応する前記第２データグループの先頭位置及び大きさを夫々示す情報を含むことを特徴とする請求項３０又は３１に記載の情報記録方法。
【請求項３３】
前記実体情報は、主映像情報、副映像情報及び音声情報から構成されていることを特徴とする請求項３０乃至３２のいずれか一に記載の情報記録方法。
【請求項３４】
前記第１再生禁止情報は１ビットフラグであることを特徴とする請求項３０乃至３３のいずれか一に記載の情報記録方法。
【請求項３５】
前記第２再生禁止情報は１ビットフラグであることを特徴とする請求項３１に記載の情報記録方法。
【請求項３６】
前記特殊再生は、スキャン再生及びサーチ再生であることを特徴とする請求項３０乃至３５のいずれか一に記載の情報記録方法。
【請求項３７】
前記情報記録媒体はマスタディスクであることを特徴とする請求項３０乃至３６のいずれかに記載の情報記録方法。
【請求項３８】
前記マスタディスクを用いてレプリカディスクを製造する工程をさらに備えることを特徴とする請求項３７記載の情報記録方法。
【請求項３９】
請求項３８に記載の情報記録方法により製造されたレプリカディスク。
【請求項４０】
少なくとも１つの第１データグループを夫々に含んで構成されている第２データグループを複数含んで構成された実体情報と、
複数の前記第２データグループを組合せた論理的区分に対応して前記組合わされた複数の第２データグループの再生手順を規定するプログラムチェーン情報と、
複数の前記第２データグループの各々に対応付けられ、対応する当該第２データグループを対象とした特殊再生の禁止又は許可を示す第１再生禁止情報と、
前記プログラムチェーン情報中に含まれ、前記組合わされた複数の第２データグループの各々に対応すると共に、前記第１再生禁止情報を含む第２データグループ再生情報のテーブルにより構成されている管理情報と、
が記録された情報記録媒体から情報を再生するための情報再生方法であって、
前記情報記録媒体から、前記実体情報、前記プログラムチェーン情報、前記第１再生禁止情報及び前記管理情報を読み取る工程と、
前記読み取ったプログラムチェーン情報に従って前記読み取った実体情報を再生する再生工程と、
特殊再生を指定するための指定工程と、
前記第１再生禁止情報が、対応する前記第２データグループを対象とした前記特殊再生の禁止を示している場合には、当該特殊再生の実行を禁止する制御工程と、
を備えたことを特徴とする情報再生方法。
【請求項４１】
前記制御工程においては、前記指定工程において前記特殊再生が指定されたことを１ビットの情報としてレジスタに記憶すると共に、
該レジスタが前記特殊再生を示している際に、前記第２データグループを対象とした前記特殊再生を禁止することを特徴とする請求項４０に記載の情報再生方法。
【請求項４２】
前記読取工程においては、前記実体情報に先だって前記管理情報を前記情報記録媒体から読み取り、
前記先立って読み取られた管理情報を保持する記憶工程を更に備えていることを特徴とする請求項４０又は４１に記載の情報再生方法。
【請求項４３】
前記特殊再生は、再生を開始すべき位置が指定されるサーチ再生を含み、
前記制御工程においては、前記サーチ再生の際に前記位置が含まれる前記第２データグループを対象とした前記特殊再生の実行が前記第１再生禁止情報により禁止されている場合には、当該サーチ再生の実行を禁止することを特徴とする請求項４０乃至４２のいずれか一に記載の情報再生方法。
【請求項４４】
前記特殊再生は、前方早送り又は後方早送りにより再生を開始すべき位置が指定されるスキャン再生を含み、
前記制御工程においては、前記スキャン再生の際に前記指定された位置が含まれる前記第２データグループを対象とした前記特殊再生が前記第１再生禁止情報により禁止されている場合には、前記指定された位置に至るまでの移動方向と同一の方向に前記第１再生禁止情報により前記特殊再生の実行が禁止されていない前記第２データグループに至るまで読取位置を移動させた後に前記情報の再生を開始することを特徴とする請求項４０乃至４３のいずれか一に記載の情報再生方法。
【請求項４５】
前記第１データグループの各々は制御情報を含み、
前記制御情報は、前記制御情報が含まれる前記第１データグループが属する前記第２データグループの前記情報再生方法による前記特殊再生の禁止を示す第２再生禁止情報を含み、
前記制御工程においては、一つの前記第１データグループが記録されている位置に読取位置が移動した際に、該一つの第１データグループに含まれる前記実体情報を再生する前に該一つの第１データグループに含まれる前記制御情報を再生すると共に該再生された制御情報に含まれる前記第２再生禁止情報により前記特殊再生が禁止されている場合には当該一つの第１データグループを含む前記第２データグループを対象とする前記特殊再生の実行を禁止することを特徴とする請求項４０乃至４４のいずれか一に記載の情報再生方法。
【請求項４６】
前記第２データグループ再生情報は、対応する前記第２データグループの先頭位置及び大きさを夫々示す情報を含むことを特徴とする請求項４０乃至４５のいずれか一に記載の情報再生方法。
【請求項４７】
再生される情報を生成するための情報処理方法であって、
実体情報としての記録情報から圧縮多重信号を生成する工程と、
第１再生禁止情報を含む付加情報信号を生成する工程と、
前記圧縮多重信号と前記付加情報信号とから情報付加圧縮多重信号を生成する工程と、
を備え、
前記実体情報は、少なくとも１つの前記第１データグループを夫々に含んで構成されている第２データグループを複数含んで構成され、
前記第１再生禁止情報は、前記第２データグループの各々に対応付けられ、対応する当該第２データグループを対象とした特殊再生の禁止又は許可を示すと共に、
当該第１再生禁止情報は、複数の前記第２データグループを組合せた論理的区分に対応して前記組合わされた複数の第２データグループの再生手順を規定するプログラムチェーン情報内に含まれる管理情報内に含まれ、
当該管理情報は、前記組合わされた複数の第２データグループの各々に対応すると共に前記第１再生禁止情報を含む第２データグループ再生情報のテーブルにより構成されていることを特徴とする情報処理方法。
【請求項４８】
前記第１データグループの各々は制御情報を含み、当該制御情報は、当該制御情報が含まれる前記第１データグループが含まれる前記第２データグループを対象とした前記特殊再生の禁止又は許可を示す第２再生禁止情報を含むことを特徴とする請求項４７に記載の情報処理方法。
【請求項４９】
前記第２データグループ再生情報は、対応する前記第２データグループの先頭位置及び大きさを夫々示す情報を含むことを特徴とする請求項４７又は４８に記載の情報処理方法。
【請求項５０】
前記実体情報は、主映像情報、副映像情報及び音声情報から構成されていることを特徴とする請求項４７乃至４９のいずれか一に記載の情報処理方法。
【請求項５１】
前記第１再生禁止情報は１ビットフラグであることを特徴とする請求項４７乃至５０のいずれかに記載の情報処理方法。
【請求項５２】
前記第２再生禁止情報は１ビットフラグであることを特徴とする請求項４８に記載の情報処理方法。
【請求項５３】
再生における論理構造上の単位となるデータと、
各前記データ夫々の組み合わせとして構成される前記再生手順が記述された前記再生手順情報と、
当該各データ夫々の特殊再生を禁止するか否かが記述された再生禁止情報と、
が記録されており、かつ、
各前記データが単位情報により構成されているとともに、
前記記録媒体上において、前記再生手順情報が記録されている領域は、前記単位情報より先に再生される領域であることを特徴とする記録媒体。
【請求項５４】
前記再生禁止情報が、当該再生手順情報内に含まれて記録されていることを特徴とする請求項５３に記載の記録媒体。
【請求項５５】
各前記データが、映像情報又は音声情報の少なくともいずれか一方を含む情報単位である単位情報により構成されていることを特徴とする請求項５３又は５４に記載の記録媒体。
【請求項５６】
各前記情報単位には互いを区別するための識別番号が夫々付与されており、各前記データは特定の前記単位情報を示す前記識別番号を含み且つ当該含まれている識別番号により示される前記単位情報により構成されていることを特徴とする請求項５５に記載の記録媒体。
【請求項５７】
前記特殊再生は、サーチ再生又はスキャン再生のいずれか一方であることを特徴とする請求項５３乃至５６のいずれか一項に記載の記録媒体。
【請求項５８】
再生における論理構造上の単位となるデータを生成するデータ生成手段と、
各前記データ夫々の組み合わせとして構成される再生手順が記述された再生手順情報を生成する再生手順情報生成手段と、
各前記データ夫々の特殊再生を禁止するか否かが記述された再生禁止情報を生成する再生禁止情報生成手段と、
前記生成されたデータ、再生手順情報及び再生禁止情報を記録媒体に記録する記録手段と、
を備えること特徴とする情報記録装置。
【請求項５９】
前記再生禁止情報生成手段は、前記再生禁止情報を、前記再生手順情報内に含せることを特徴とする請求項５８に記載の情報記録装置。
【請求項６０】
前記データ生成手段は、各前記データを、映像情報又は音声情報の少なくともいずれか一方を含む情報単位である単位情報により構成して生成することを特徴とする請求項５８又は５９に記載の情報記録装置。
【請求項６１】
前記データ生成手段は、各前記情報単位に対して互いを区別するための識別番号を夫々付与すると共に、各前記データを、特定の前記単位情報を示す前記識別番号を含み且つ当該含まれている識別番号により示される前記単位情報により構成して生成することを特徴とする請求項６０に記載の情報記録装置。
【請求項６２】
前記記録手段は、前記単位情報より先に再生される前記記録媒体上の領域に前記再生手順情報を記録することを特徴とする請求項６０又は６１に記載の情報記録装置。
【請求項６３】
前記特殊再生は、サーチ再生又はスキャン再生のいずれか一方であることを特徴とする請求項５８乃至６２のいずれか一項に記載の情報記録装置。
【請求項６４】
前記記録媒体はマスタディスクであることを特徴とする請求項５８乃至６３のいずれか一項に記載の情報記録装置。
【請求項６５】
前記マスタディスクを用いてレプリカディスクを製造する手段をさらに備えることを特徴とする請求項６４記載の情報記録装置。
【請求項６６】
請求項６５に記載の情報記録装置により製造されたレプリカディスク。
【請求項６７】
再生における論理構造上の単位となるデータを生成するデータ生成手段と、
各前記データ夫々の組み合わせとして構成される再生手順が記述された再生手順情報を生成する再生手順情報生成手段と、
各前記データ夫々の特殊再生を禁止するか否かが記述された再生禁止情報を生成する再生禁止情報生成手段と、
を備えること特徴とする情報処理装置。
【請求項６８】
前記再生禁止情報生成手段は、前記再生禁止情報を、前記再生手順情報内に含せることを特徴とする請求項６７に記載の情報処理装置。
【請求項６９】
前記データ生成手段は、各前記データを、映像情報又は音声情報の少なくともいずれか一方を含む情報単位である単位情報により構成して生成することを特徴とする請求項６７又は６８に記載の情報処理装置。
【請求項７０】
前記データ生成手段は、各前記情報単位に対して互いを区別するための識別番号を夫々付与すると共に、各前記データを、特定の前記単位情報を示す前記識別番号を含み且つ当該含まれている識別番号により示される前記単位情報により構成して生成することを特徴とする請求項６９に記載の情報処理装置。
【請求項７１】
前記記録手段は、前記単位情報より先に再生される前記記録媒体上の領域に前記再生手順情報を記録することを特徴とする請求項６９又は７０に記載の情報処理装置。
【請求項７２】
前記特殊再生は、サーチ再生又はスキャン再生のいずれか一方であることを特徴とする請求項６７乃至７１のいずれか一項に記載の情報処理装置。
【請求項７３】
再生における論理構造上の単位となるデータと、各前記データ夫々の組み合わせとして構成される再生手順が記述された再生手順情報と、各前記データ夫々の特殊再生を禁止するか否かが記述された再生禁止情報と、が記録された記録媒体から情報を再生するための情報再生装置であって、
前記記録媒体から、前記データ、前記再生手順情報及び前記再生禁止情報を読み取る手段と、
前記読み取った再生手順情報に従って前記読み取ったデータを再生する再生手段と、
前記再生禁止情報が、対応する前記データを対象とした前記特殊再生の禁止を示している場合には、当該特殊再生の実行を禁止する制御手段と、
を備えたことを特徴とする情報再生装置。
【請求項７４】
前記特殊再生を指定するための指定手段を更に備え、
前記制御手段は、前記指定手段により前記特殊再生が指定されたことを１ビットの情報として記憶するレジスタを備えており、
該レジスタが前記特殊再生を示している際に、前記データを対象とした前記特殊再生を禁止することを特徴とする請求項７３に記載の情報再生装置。
【請求項７５】
前記読取手段は、前記データに先だって前記再生禁止情報を前記記録媒体から読み取り、
前記先立って読み取られた再生禁止情報を保持する記憶手段を更に備えていることを特徴とする請求項７３又は７４に記載の情報再生装置。
【請求項７６】
前記特殊再生は、再生を開始すべき位置が指定されるサーチ再生を含み、
前記制御手段は、前記サーチ再生の際に前記位置が含まれる前記データを対象とした前記特殊再生の実行が前記再生禁止情報により禁止されている場合には、当該サーチ再生の実行を禁止することを特徴とする請求項７３乃至７５のいずれか一に記載の情報再生装置。
【請求項７７】
再生における論理構造上の単位となるデータを生成するデータ生成工程と、
各前記データ夫々の組み合わせとして構成される再生手順が記述された再生手順情報を生成する再生手順情報生成工程と、
各前記データ夫々の特殊再生を禁止するか否かが記述された再生禁止情報を生成する再生禁止情報生成工程と、
前記生成されたデータ、再生手順情報及び再生禁止情報を記録媒体に記録する記録工程と、
を含むこと特徴とする情報記録方法。
【請求項７８】
再生における論理構造上の単位となるデータを生成するデータ生成工程と、
各前記データ夫々の組み合わせとして構成される再生手順が記述された再生手順情報を生成する再生手順情報生成工程と、
各前記データ夫々の特殊再生を禁止するか否かが記述された再生禁止情報を生成する再生禁止情報生成工程と、
を含むこと特徴とする情報処理方法。
【請求項７９】
再生における論理構造上の単位となるデータと、各前記データ夫々の組み合わせとして構成される再生手順が記述された再生手順情報と、各前記データ夫々の特殊再生を禁止するか否かが記述された再生禁止情報と、が記録された記録媒体から情報を再生するための情報再生方法であって、
前記記録媒体から、前記データ、前記再生手順情報及び前記再生禁止情報を読み取る工程と、
前記読み取った再生手順情報に従って前記読み取ったデータを再生する再生工程と、
前記再生禁止情報が、対応する前記データを対象とした前記特殊再生の禁止を示している場合には、当該特殊再生の実行を禁止する制御工程と、
を含むことを特徴とする情報再生方法。
【手続補正２】
【補正対象書類名】明細書
【補正対象項目名】０１２８
【補正方法】変更
【補正の内容】
【０１２８】
請求項５２に記載の情報再生方法によれば、第２禁止情報が１ビットフラグであるので、情報再生方法の簡略化を図ることができる。
上記の課題を解決するために、請求項５３に記載の発明は、再生における論理構造上の単位となるデータと、各前記データ夫々の組み合わせとして構成される前記再生手順が記述された前記再生手順情報と、当該各データ夫々の特殊再生を禁止するか否かが記述された再生禁止情報と、が記録されており、かつ、各前記データが単位情報により構成されているとともに、前記記録媒体上において、前記再生手順情報が記録されている領域は、前記単位情報より先に再生される領域であるように構成される。
上記の課題を解決するために、請求項５８に記載の発明は、再生における論理構造上の単位となるデータを生成するデータ生成手段と、各前記データ夫々の組み合わせとして構成される再生手順が記述された再生手順情報を生成する再生手順情報生成手段と、各前記データ夫々の特殊再生を禁止するか否かが記述された再生禁止情報を生成する再生禁止情報生成手段と、前記生成されたデータ、再生手順情報及び再生禁止情報を記録媒体に記録する記録手段と、を備える。
上記の課題を解決するために、請求項６７に記載の発明は、再生における論理構造上の単位となるデータを生成するデータ生成手段と、各前記データ夫々の組み合わせとして構成される再生手順が記述された再生手順情報を生成する再生手順情報生成手段と、各前記データ夫々の特殊再生を禁止するか否かが記述された再生禁止情報を生成する再生禁止情報生成手段と、を備える。
上記の課題を解決するために、請求項７３に記載の発明は、再生における論理構造上の単位となるデータと、各前記データ夫々の組み合わせとして構成される再生手順が記述された再生手順情報と、各前記データ夫々の特殊再生を禁止するか否かが記述された再生禁止情報と、が記録された記録媒体から情報を再生するための情報再生装置であって、前記記録媒体から、前記データ、前記再生手順情報及び前記再生禁止情報を読み取る手段と、前記読み取った再生手順情報に従って前記読み取ったデータを再生する再生手段と、前記再生禁止情報が、対応する前記データを対象とした前記特殊再生の禁止を示している場合には、当該特殊再生の実行を禁止する制御手段と、を備える。
上記の課題を解決するために、請求項７７に記載の発明は、再生における論理構造上の単位となるデータを生成するデータ生成工程と、各前記データ夫々の組み合わせとして構成される再生手順が記述された再生手順情報を生成する再生手順情報生成工程と、各前記データ夫々の特殊再生を禁止するか否かが記述された再生禁止情報を生成する再生禁止情報生成工程と、前記生成されたデータ、再生手順情報及び再生禁止情報を記録媒体に記録する記録工程と、を含む。
上記の課題を解決するために、請求項７８に記載の発明は、再生における論理構造上の単位となるデータを生成するデータ生成工程と、各前記データ夫々の組み合わせとして構成される再生手順が記述された再生手順情報を生成する再生手順情報生成工程と、各前記データ夫々の特殊再生を禁止するか否かが記述された再生禁止情報を生成する再生禁止情報生成工程と、を含む。
上記の課題を解決するために、請求項７９に記載の発明は、再生における論理構造上の単位となるデータと、各前記データ夫々の組み合わせとして構成される再生手順が記述された再生手順情報と、各前記データ夫々の特殊再生を禁止するか否かが記述された再生禁止情報と、が記録された記録媒体から情報を再生するための情報再生方法であって、前記記録媒体から、前記データ、前記再生手順情報及び前記再生禁止情報を読み取る工程と、前記読み取った再生手順情報に従って前記読み取ったデータを再生する再生工程と、前記再生禁止情報が、対応する前記データを対象とした前記特殊再生の禁止を示している場合には、当該特殊再生の実行を禁止する制御工程と、を含む。